(57)【要約】【課題】パイプの端部開口から異物が侵入するのを防止することができ、しかも、全体がこの端部開口内部に納まって、他の部材が支障なく接続される形態とすることができるパイプ用キャップ及びパイプ端部構造を提供する。【解決手段】組立構造物の骨組みとなるパイプ１の端部開口２に挿入され、この端部開口２を密閉するパイプ用キャップにおいて、キャップ本体３の外周にパイプ１の内周面との間の隙間を密閉する変形可能な密接部４を設け、パイプ１の端部開口２から挿入され押し込まれることで同密接部４が変形してパイプ１の内周面に密接され、全体がパイプ１の端部開口２内部に入り込んで挿着されるようになっており、差し込み用スペースＳが形成されたパイプ端部構造となる。【選択図】          図１
2004254535.tif 000002
【特許請求の範囲】
【請求項１】
組立構造物の骨組みとなるパイプの端部開口から挿入され、この端部開口を密閉するパイプ用キャップであって、キャップ本体の外周にパイプの内周面との間の隙間を密閉する変形可能な密接部を設け、パイプの端部開口から挿入され押し込まれることで同密接部が変形してパイプの内周面に密接され、全体がパイプの端部開口内部に入り込んで挿着されるようになしたパイプ用キャップ。
【請求項２】
キャップ本体の外周面に全周にわたる鍔状片を突設し、この鍔状片を同キャップ本体の挿入方向で複数並設して密接部となしたことを特徴とする請求項１記載のパイプ用キャップ。
【請求項３】
複数の鍔状片を各々の変形度合いが相違するように形成したことを特徴とする請求項２記載のパイプ用キャップ。
【請求項４】
挿入方向の先端側に位置する鍔状片を後端側に位置する鍔状片よりも変形度合いが大きくて変形し易くなるように形成したことを特徴とする請求項３記載のパイプ用キャップ。
【請求項５】
キャップ本体の挿入方向の後端側端面に押し込み具の先端が位置決めされる係合部を設けたことを特徴とする請求項１〜４のいずれか一つに記載のパイプ用キャップ。
【請求項６】
押し込み具の先端が圧入嵌合されるように係合部を凹穴状に形成して、この係合部でキャップ本体が同押し込み具の先端に嵌着されるようになしたことを特徴とする請求項５記載のパイプ用キャップ。
【請求項７】
係合部に押し込み具の先端が圧入嵌合された状態でも、キャップ本体の挿入方向の後端側端面の外径がパイプの内径よりも小さく保持されるように寸法設定したことを特徴とする請求項６記載のパイプ用キャップ。
【請求項８】
請求項１〜７のいずれか一つに記載のパイプ用キャップをパイプの端部開口から挿入し、その全体がこのパイプの端部開口内部に入り込むように挿着して、同パイプの端部開口からキャップ本体の挿入方向の後端側端面までの間に差し込み用スペースを形成してなるパイプ端部構造。
【発明の詳細な説明】
【０００１】
【発明の属する技術分野】
本発明は、農芸用のビニールハウスや棚、柵等の組立構造物の骨組みとなるパイプの端部開口に挿着されて、このパイプ内に雨水その他の異物が侵入するのを防止するパイプ用キャップ、及び、同パイプ用キャップが挿着されたパイプ端部構造に関するものである。
【０００２】
【従来の技術】
従来、農芸用のビニールハウスや棚、柵等の屋外に設置施工される組立構造物において、その骨組みがパイプで構成されている場合には、同パイプ内に雨水が侵入して凍結すると破損する恐れがあった。例えば、寒冷地において、農び管と称されるパイプが鋼管で、その長手方向に溶接部を有している場合、その内部に溜まった雨水が凍結して膨張すると、同溶接部に沿って亀裂を生じて破損してしまうことがあった。又、図４に示す如く、パイプ１の端部開口２が上方を向くように設置される場合、特に、この開放された端部開口２から雨水が侵入し易いということで、これを防止するためにパイプ用キャップを同端部開口２に挿着することもあった。
【０００３】
この場合、パイプ用キャップは合成樹脂や合成ゴム等の柔軟な弾性体で形成され、キャップ本体３の外周に密接部４が設けられている。そして、キャップ本体３をパイプ１の端部開口２から挿入すると、密接部４は変形されて同パイプ１の内周面に密接し、このパイプ１の内周面と同キャップ本体３の外周面との間の隙間が同密接部４によって密閉される。又、キャップ本体３の挿入方向の後端側端に径の大きくなった蓋状部１２が一体に形成されており、この蓋状部１２がパイプ１の端部開口２の端縁に当止することで、全体は同パイプ１の端部開口２内部に入り込まないようになっている。
【０００４】
すなわち、ここで用いられるパイプ用キャップは、パイプ１の端部開口２に挿着されこの端部開口２を覆って化粧するためのものであり、この場合、キャップ本体３が同パイプ１の端部開口２に位置し、この端部開口２から蓋状部１２が突出するので、この状態では、同端部開口２に対し他のパイプや継手等の部材を接続することが困難となる。特に、パイプ１の端部開口２内に他の部材が差し込まれる接続形態の場合、キャップ本体３を同端部開口２から抜き外さない限り、接続することができないという問題を生じるものであった。
【０００５】
又、一般に、液体や気体等の流体経路となるパイプの場合にも、キャップによって同パイプの端部開口が塞がれることがある（特開２００２−７１０８４号公報参照）。しかしながら、この場合、パイプの端部開口に他の部材を差し込んで接続するようなことは考慮されるものでなく、キャップが奥方へ深くは押し込まれず同パイプの端部開口に位置するよう挿着されるものである。又、ここでのキャップの役割は、パイプ内の流体が外部へ流出するのを阻止することであり、組立構造物の骨組みとなるパイプにおいて、内部に異物が侵入するのを防止するパイプ用キャップとは全く逆で、このような場合に、後述する本発明の課題は生じ得ないものである。
【０００６】
【特許文献１】
特開２００２−７１０８４号公報
【０００７】
【発明が解決しようとする課題】
本発明は、上記従来の技術における問題を悉く解決するために発明されたもので、その課題は、パイプの端部開口を確実に密閉してその内部に異物が侵入するのを防止することができ、しかも、全体がこの端部開口内部に納まって、他の部材が支障なく接続される形態とすることができるパイプ用キャップ及びパイプ端部構造を提供することである。
【０００８】
【課題を解決するための手段】
本発明の請求項１記載のパイプ用キャップでは、組立構造物の骨組みとなるパイプの端部開口から挿入され、この端部開口を密閉するパイプ用キャップであって、キャップ本体の外周にパイプの内周面との間の隙間を密閉する変形可能な密接部を設け、パイプの端部開口から挿入され押し込まれることで同密接部が変形してパイプの内周面に密接され、全体がパイプの端部開口内部に入り込んで挿着されるようになしている。
【０００９】
したがって、この場合、パイプの端部開口から挿入され押し込まれることにより、キャップ本体の外周に設けられる密接部が変形して同パイプの内周面に密接され、このパイプの内周面と同キャップ本体の外周面との間の隙間は確実に密閉される。それ故、パイプの内部に雨水やその他の異物等が侵入するのを防止することができ、凍結による破損等も防止される。しかも、全体がパイプの端部開口内部に入り込んで挿着されるので、同パイプの端部開口内部の奥方へ押し込んで挿着することにより、他の部材が差し込んで接続される場合でも、支障なく接続される形態とすることができる。
【００１０】
本発明の請求項２記載のパイプ用キャップは、上記請求項１記載のパイプ用キャップにおいて、キャップ本体の外周面に全周にわたる鍔状片を突設し、この鍔状片を同キャップ本体の挿入方向で複数並設して密接部となしたことを特徴としている。
【００１１】
したがって、この場合は特に、密接部が複数並設される鍔状片でなるので、各鍔状片は変形し易く、スムーズに挿着することができる。又、各鍔状片間で毛細管現象が遮断されることで、雨水等の液状異物のしみ込みによる侵入も確実に防止される。
【００１２】
本発明の請求項３記載のパイプ用キャップは、上記請求項２記載のパイプ用キャップにおいて、複数の鍔状片を各々の変形度合いが相違するように形成したことを特徴としている。
【００１３】
したがって、この場合は特に、各鍔状片の変形度合いが相違するので、パイプの内径寸法にバラツキがあっても、これに対応しいずれかの鍔状片が同パイプの内周面に密接されて、密閉状態を確保することができる。
【００１４】
本発明の請求項４記載のパイプ用キャップは、上記請求項３記載のパイプ用キャップにおいて、挿入方向の先端側に位置する鍔状片を後端側に位置する鍔状片よりも変形度合いが大きくて変形し易くなるように形成したことを特徴としている。
【００１５】
したがって、この場合は特に、先端側の鍔状片の方が変形し易いので、パイプの端部開口への導入が容易となり、よりスムーズに挿着することができる。
【００１６】
本発明の請求項５記載のパイプ用キャップは、上記請求項１〜４のいずれか一つに記載のパイプ用キャップにおいて、キャップ本体の挿入方向の後端側端面に押し込み具の先端が位置決めされる係合部を設けたことを特徴としている。
【００１７】
したがって、この場合は特に、押し込み具を用いてパイプの端部開口内部の奥方へと押し込んで、容易に挿着することができる。しかも、その際、押し込み具の先端がキャップ本体の挿入方向の後端側端面に設けられた係合部で位置決めされて、同押し込み具の先端はズレ動き難く、スムーズな挿着作業が行われる。
【００１８】
本発明の請求項６記載のパイプ用キャップは、上記請求項５記載のパイプ用キャップにおいて、押し込み具の先端が圧入嵌合されるように係合部を凹穴状に形成して、この係合部でキャップ本体が同押し込み具の先端に嵌着されるようになしたことを特徴としている。
【００１９】
したがって、この場合は特に、押し込み具の先端が凹穴状の係合部に圧入嵌合されて、同押し込み具の先端にキャップ本体は嵌着され、挿着作業に際して、同キャップ本体が押し込み具の先端から外れたりパイプの端部開口内部で傾いたりせず、よりスムーズで安定した挿着作業が行われる。
【００２０】
本発明の請求項７記載のパイプ用キャップは、上記請求項６記載のパイプ用キャップにおいて、係合部に押し込み具の先端が圧入嵌合された状態でも、キャップ本体の挿入方向の後端側端面の外径がパイプの内径よりも小さく保持されるように寸法設定したことを特徴としている。
【００２１】
したがって、この場合は特に、係合部に押し込み具の先端が圧入嵌合された状態でも、キャップ本体の挿入方向の後端側端面の外径はパイプの内径よりも小さく保持され、このパイプの内周面で押圧されて同キャップ本体の挿入方向の後端側端面部分が径方向で圧縮変形されることもなく、挿着作業終了後に、凹穴状の同係合部から押し込み具の先端を抜き外し易くなる。又、挿着作業中には、キャップ本体の挿入方向の後端側端外周部分とパイプの内周面との間で摺接による摩擦抵抗が発生せず、よりスムーズで安定した挿着作業に支障を来さない。
【００２２】
本発明の請求項８記載のパイプ端部構造では、請求項１〜７のいずれか一つに記載のパイプ用キャップをパイプの端部開口から挿入し、その全体がこのパイプの端部開口内部に入り込むように挿着して、同パイプの端部開口からキャップ本体の挿入方向の後端側端面までの間に差し込み用スペースを形成している。
【００２３】
したがって、この場合、上記請求項１〜７のいずれか一つに記載のパイプ用キャップがパイプの端部開口内部にその全体が入り込むように挿着され、同パイプの端部開口からキャップ本体の挿入方向の後端側端面までの間に差し込み用スペースが形成されるので、上記各請求項１〜７の作用効果に加え、他の部材を差し込んで接続するための差し込み用スペースが確保された構造となる。
【００２４】
【発明の実施の形態】
図１〜３は、本発明の請求項１〜７に対応した実施形態であるパイプ用キャップ、及び、請求項８に対応した実施形態であるパイプ端部構造を示している。この実施形態のパイプ用キャップは、組立構造物の骨組みとなるパイプ１の端部開口２から挿入され、この端部開口２を密閉するものである。そして、この実施形態のパイプ用キャップでは、キャップ本体３の外周にパイプ１の内周面との間の隙間を密閉する変形可能な密接部４を設け、パイプ１の端部開口２から挿入され押し込まれることで同密接部４が変形してパイプ１の内周面に密接され、全体がパイプ１の端部開口２内部に入り込んで挿着されるようになしている。
【００２５】
又、この実施形態のパイプ用キャップでは、キャップ本体３の外周面に全周にわたる鍔状片４ａ，４ｂを突設し、この鍔状片４ａ，４ｂを同キャップ本体３の挿入方向で複数並設して密接部４となしている。この場合、複数の鍔状片４ａ，４ｂを各々の変形度合いが相違するように形成しており、すなわち、挿入方向の先端側に位置する鍔状片４ａを後端側に位置する鍔状片４ｂよりも変形度合いが大きくて変形し易くなるように形成している。
【００２６】
又、この実施形態のパイプ用キャップでは、キャップ本体３の挿入方向の後端側端面５に押し込み具６の先端が位置決めされる係合部７を設けている。この場合、押し込み具６の先端が圧入嵌合されるよう係合部７を凹穴状に形成して、この係合部７でキャップ本体３が同押し込み具６の先端に嵌着されるようになしている。そして、係合部７に押し込み具６の先端が圧入嵌合された状態でも、キャップ本体３の挿入方向の後端側端面５の外径Ｃ１がパイプ１の内径Ｐよりも小さく保持されるように寸法設定している。
【００２７】
又、この実施形態のパイプ用キャップをパイプ１の端部開口２から挿入し、その全体がこのパイプ１の端部開口２内部に入り込むように挿着することで、同パイプ１の端部開口２からキャップ本体３の挿入方向の後端側端面５までの間に差し込み用スペースＳが形成されたパイプ端部構造となる。
【００２８】
以下、この実施形態のパイプ用キャップ及びパイプ端部構造を、より具体的に説明する。パイプ１は円筒状の直管或いは屈曲管の鋼管でその長手方向に沿った溶接部を有しており、農芸用で屋外に設置施工されるビニールハウスや柵等の組立構造物の骨組みとして用いられる場合に農び管とも称される。又、このパイプ１はその他に、屋外に設置施工されるゴルフネット、屋内に設置施工される農芸用棚、各種収納用棚等の組立構造物の骨組みとしても用いることができる。そして、この種のパイプ１は、内嵌合式や外嵌合式の継手、或いは、線状の継手等で接続固定される。なお、このパイプ１の内径Ｐは、１０ｍｍ〜５０ｍｍ程度で所定の規格に基づき寸法設定されている。
【００２９】
この実施形態のパイプ用キャップは合成樹脂や合成ゴム等の柔軟な弾性体で形成され、例えば、ＥＰＤＭと称される材料で一体成形される。又、このパイプ用キャップは前記パイプ１の内径Ｐに対応した大きさ形状に形成され、ここでは全体として柱軸方向に短い略円柱状に形成されている。この場合、短円柱状のキャップ本体３の先端外周部分及び中程外周部分の外周面に、全周にわたる略円盤状の鍔状片４ａ，４ｂが所定の間隔で一体に突設されており、この両鍔状片４ａ，４ｂにて密接部４が形成される。なお、このパイプ用キャップでは、上記従来の技術の特開２００２−７１０８４号公報に示されたキャップのようにその軸方向で貫通する孔が形成されておらず、簡単に一体成形される。
【００３０】
両鍔状片４ａ，４ｂの先端側外周縁部分各々には面取り状テーパー部８ａ，８ｂが形成されており、面取り状テーパー部８ａは面取り状テーパー部８ｂよりも大きなテーパー面として形成され、先端側の鍔状片４ａが後端側の鍔状片４ｂよりも厚さ寸法が小さくて変形度合いが大きく変形し易くなっている。この場合、各鍔状片４ａ，４ｂの変形度合いが相違するよう形成するのに、各鍔状片４ａ，４ｂの厚さを相違させているが、各鍔状片４ａ，４ｂの外径を相違させることでも、各々の変形度合いが相違するように形成することができる。なお、この実施形態では、両鍔状片４ａ，４ｂの外周直径が等しく密接部４の外径Ｃ２として、前記パイプ１の内径Ｐよりも若干大きな寸法に設定されている。
【００３１】
キャップ本体３の後端側端面５の外周部分には略円盤状の鍔状凸起９が一体に突設されており、この鍔状凸起９の外周直径は同後端側端面５の外径Ｃ１として前記パイプ１の内径Ｐよりも若干小さな寸法に設定されている。キャップ本体３の後端側端面５にはこれと同心円形で凹穴状の係合部７が形成されており、この係合部７の口縁部分には面取り状テーパー部８ｃが形成されている。この場合、図１に示す如く、前記パイプ１よりも小径のパイプ材が押し込み具６として用いられ、この押し込み具６の先端が凹穴状の係合部７に圧入嵌合される。
【００３２】
ここでは、凹穴状の係合部７の内径Ｃ３が押し込み具６の外径Ｇよりも若干小さな寸法に設定されており、この押し込み具６の先端は同係合部７から不用意に抜け外れないよう確実に圧入嵌合される。その際、押し込み具６の先端が凹穴状の係合部７に圧入嵌合されることで、前記キャップ本体３の後端側端面５部分はその外径Ｃ１が大きくなるように変形されるが、この状態でも、同後端側端面５の外径Ｃ１は前記パイプ１の内径Ｐよりも小さく保持されるように寸法設定されている。
【００３３】
そして、押し込み具６の先端に嵌着保持させた状態で、パイプ用キャップをパイプ１の端部開口２から挿入して、その全体がこのパイプ１の端部開口２内部に入り込むように挿着し、同押し込み具６を抜き外すことで、図３に示す如く、同パイプ１の端部開口２からキャップ本体３の後端側端面５までの間に差し込み用スペースＳが形成されたパイプ端部構造となる。このパイプ端部構造では、他の部材１０を差し込んで接続する場合でも、パイプ用キャップが邪魔になることはなく、同他の部材１０の差し込み接続部１１をパイプ１の端部開口２に支障なく挿入して接続することができる。
【００３４】
例えば、差し込み接続される他の部材１０がパイプ材である場合、差し込み用スペースＳの深さ寸法Ｌ１が同パイプ材の差し込み接続部１１の長さ寸法Ｌ２よりも大きくなるように、パイプ用キャップをパイプ１の端部開口２内部の奥方へ押し込んで挿着することにより、同差し込み用スペースＳが確保されて、支障なく内嵌合で接続される形態となる。なお、パイプ１の端部開口２に差し込み接続される他の部材１０としては、パイプ材本体の他、パイプ状の継手やその他各種形状の継手であってもよい。
【００３５】
したがって、この実施形態のパイプ用キャップにおいては、パイプ１の端部開口２から挿入され押し込まれることにより、キャップ本体３の外周に設けられる密接部４が圧縮変形されて同パイプ１の内周面に密接され、このパイプ１の内周面と同キャップ本体３の外周面との間の隙間は確実に密閉される。それ故、パイプ１の内部に雨水やその他の異物等が侵入するのを防止することができ、寒冷地で用いられた場合には、凍結による破損も防止される。
【００３６】
しかも、パイプ用キャップ全体がパイプ１の端部開口２内部に入り込んで挿着されるので、同パイプ１の端部開口２内部の奥方へ深く押し込んで挿着することにより、他の部材１０の差し込み接続部１１が差し込んで接続される場合でも、支障なく接続される形態とすることができ、その他どのような接続形態にも対応することができる。
【００３７】
又、この実施形態のパイプ用キャップにおいては、密接部４がキャップ本体３の軸方向に所定間隔で複数並設される鍔状片４ａ，４ｂにより形成されるため、各鍔状片４ａ，４ｂでなる密接部４は変形し易くて、抵抗少なくスムーズに挿着することができる。又、各鍔状片４ａ，４ｂ間の空隙で毛細管現象が遮断されるため、雨水等の液状異物のしみ込みによる侵入も密接部４で確実に防止される。
【００３８】
更に、この場合、各鍔状片４ａ，４ｂの変形度合いが相違しているので、パイプ１の内径Ｐに寸法バラツキがあっても、これに対応していずれかの鍔状片４ａ，４ｂが変形しその外縁先端部分が同パイプ１の内周面に密接され、密閉状態を確保することができる。しかも、その際に、先端側の鍔状片４ａの方が変形し易いので、パイプ１の端部開口２への導入が容易となり、よりスムーズに押し込み挿着することができる。
【００３９】
又、この実施形態のパイプ用キャップにおいては、パイプ材のような押し込み具６を用いてパイプ１の端部開口２内部の奥方へと押し込んで、容易に挿着することができる。しかも、その際、押し込み具６の先端がキャップ本体３の挿入方向の後端側端面５に設けられた係合部７で位置決めされて、同押し込み具６の先端はズレ動き難く、スムーズな挿着作業を行うことができる。更に、押し込み具６の先端が凹穴状の係合部７に圧入嵌合されて、同押し込み具６の先端にキャップ本体３は嵌着保持され、挿着作業に際して、同キャップ本体３が押し込み具６の先端から外れたりパイプ１の端部開口２内部で傾いたりせずに、より安定してスムーズに挿着作業を行うことができる。
【００４０】
又、この場合、係合部７に押し込み具６の先端が圧入嵌合された状態でも、キャップ本体３の挿入方向の後端側端面５の外径Ｃ１はパイプ１の内径Ｐよりも小さく保持され、このパイプ１の内周面で押圧されて同キャップ本体３の後端側端面５部分が径方向で圧縮変形されることはなく、挿着作業終了後に、凹穴状の同係合部７から押し込み具６の先端を容易に抜き外すことができる。又、挿着作業中には、キャップ本体３の後端側端面５の外周部分とパイプ１の内周面との間で摩擦抵抗が発生せず、よりスムーズで安定した挿着作業に支障を来さない。
【００４１】
又、この実施形態のパイプ端部構造においては、前記パイプ用キャップがパイプ１の端部開口２内部にその全体が入り込むように挿着され、同パイプ１の端部開口２からキャップ本体３の挿入方向の後端側端面５までの間に差し込み用スペースＳが形成されるので、他の部材１０の差し込み接続部１１を差し込んで接続するための差し込み用スペースＳが確保された構造となる。
【００４２】
なお、この実施形態のパイプ用キャップ及びパイプ端部構造においては、キャップ本体３の柱軸方向の長さＣ４がパイプ１の内径Ｐよりも小さな寸法に形成されているが、この内径Ｐよりも同長さＣ４を大きく寸法設定してもよい。この場合、キャップ本体３をその柱軸方向に押し込んで挿着作業を行っている際に、パイプ１の端部開口２内部で同キャップ本体３が傾いて回動してしまうことはなくなり、挿着作業中のパイプ用キャップの安定性がより向上される。
【００４３】
【発明の効果】
上述の如く、本発明の請求項１記載のパイプ用キャップにおいては、押し込まれることにより密接部が変形して隙間を確実に密閉し、パイプ内に雨水やその他の異物等が侵入するのを防止することができる。しかも、全体がパイプの端部開口内部に入り込んで挿着されて、他の部材が差し込んで接続される場合でも、支障なく接続される形態とすることができる。
【００４４】
又、本発明の請求項２記載のパイプ用キャップにおいては、特に、密接部が複数並設される鍔状片でなって変形し易く、スムーズに挿着することができ、各鍔状片間で毛細管現象が遮断されて、雨水等の液状異物のしみ込みによる侵入も確実に防止される。
【００４５】
又、本発明の請求項３記載のパイプ用キャップにおいては、特に、各鍔状片の変形度合いが相違して、パイプの内径寸法にバラツキがあっても、これに対応しいずれかの鍔状片が同パイプの内周面に密接されて、密閉状態を確保することができる。
【００４６】
又、本発明の請求項４記載のパイプ用キャップにおいては、特に、先端側の鍔状片の方が変形し易く、パイプの端部開口への導入が容易となり、よりスムーズに挿着することができる。
【００４７】
又、本発明の請求項５記載のパイプ用キャップにおいては、特に、押し込み具を用いて容易に挿着することができる。しかも、その際、押し込み具の先端が係合部で位置決めされてズレ動き難く、スムーズな挿着作業が行われる。
【００４８】
又、本発明の請求項６記載のパイプ用キャップにおいては、特に、挿着作業に際して、押し込み具の先端が凹穴状の係合部に圧入嵌合されることで、キャップ本体は外れたりパイプの端部開口内部で傾いたりせず、よりスムーズで安定した挿着作業が行われる。
【００４９】
又、本発明の請求項７記載のパイプ用キャップにおいては、特に、挿着作業中にキャップ本体の後端側端外周部分で摩擦抵抗が発生せず、よりスムーズで安定した挿着作業に支障を来さない。しかも、キャップ本体の後端側端が径方向で圧縮変形されることはなく、挿着作業終了後に凹穴状の係合部から押し込み具の先端を抜き外し易くなる。
【００５０】
又、本発明の請求項８記載のパイプ端部構造においては、上記各請求項１〜７の作用効果に加え、他の部材を差し込んで接続するための差し込み用スペースが確保された構造となる。
【図面の簡単な説明】
【図１】本発明の一実施形態であるパイプ用キャップをパイプの端部開口内部に押し込み具で押し込んでいる状態を示す断面図。
【図２】同パイプ用キャップを示す（ａ）は正面図、（ｂ）は平面図、（ｃ）は右側面図、（ｄ）は背面図、（ｅ）は（ｄ）におけるＸ−Ｘ断面図。
【図３】同パイプ用キャップが挿着されたパイプ端部構造に他の部材を差し込み接続している状態を示す断面図。
【図４】従来例であるパイプ用キャップが挿着されたパイプ端部構造を示す断面図。
【符号の説明】
１  パイプ
２  端部開口
３  キャップ本体
４  密接部
４ａ  鍔状片
４ｂ  鍔状片
５  後端側端面
６  押し込み具
７  係合部
Ｓ  差し込み用スペース
【図１】
2004254535.tif 000003
【図２】
2004254535.tif 000004
【図３】
2004254535.tif 000005
【図４】
2004254535.tif 000006